【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
インナースプリングにおいて使用されるワイヤコイルであって、
略円筒状のコイルボディであって、前記コイルボディの軸方向両端部の間にある略螺旋形の複数の巻きによって形成されている、コイルボディと、
前記コイルボディの各軸方向端部にあるコイル端であって、各コイル端は前記コイルボディの縦軸に略垂直な平面内に概ね位置する、コイル端と、
前記コイル端の一方から前記コイルボディの軸方向端部の一方に延びるステップセグメントであって、前記ステップは前記コイル端の平面から外れて前記コイルボディの軸方向端部へ延びる、ステップセグメントと、
を備えたワイヤコイル。
【請求項２】
前記コイル端の一方が基部コイル端であり、前記コイル端の他方が支持コイル端であり、前記基部コイル端は前記支持コイルとは異なる構成を有する、請求項１に記載のコイル。
【請求項３】
前記ステップが非螺旋形である、請求項２に記載のコイル。
【請求項４】
前記コイル端のそれぞれが少なくとも１つの略線形セグメントを有する、請求項１に記載のコイル。
【請求項５】
前記ステップが前記基部コイル端とは連続している、請求項２に記載のコイル。
【請求項６】
前記ステップがおよそ１０ｍｍから４０ｍｍの範囲の高さを有する、請求項１に記載のコイル。
【請求項７】
前記ステップと前記コイルボディとの間に９０度よりも大きな角度の屈曲をさらに備えた、請求項１に記載のコイル。
【請求項８】
前記ステップが前記コイルボディの外形と略位置合わせされている、請求項１に記載のコイル。
【請求項９】
前記コイルボディが２つ以上の螺旋巻きを備えている、請求項１に記載のコイル。
【請求項１０】
前記コイル端の一方が、他方のコイル端よりも多くの、少なくとも１つのセグメントを有する、請求項２に記載のコイル。
【請求項１１】
前記コイル端と前記ステップとの間におよそ４８度から１２０度の範囲の角度の屈曲をさらに備えている、請求項１に記載のコイル。
【請求項１２】
ステップとコイル端との間の角度が、前記ステップと前記コイルボディとの間の角度よりも小さい、請求項１に記載のコイル。
【請求項１３】
同様に構成された複数のコイルとの組み合わせであって、前記コイルのそれぞれの端部はインナースプリングを形成するように略平行な平面に配置されている、請求項１に記載のコイル。
【請求項１４】
アレイ状に相互接続された複数のワイヤコイルを有するインナースプリングであって、前記ワイヤコイルのそれぞれが、前記コイルの縦軸を中心とした螺旋軌道を形成する２つ以上の螺旋巻きを有する略円筒形のボディであって、対向する軸方向両端部で終わってい
る、コイルボディと、
前記コイルボディの各軸方向端部にあるコイル端であって、各コイル端は前記コイルの縦軸に略垂直な平面内に配向されている、コイル端と、前記コイル端の一方と前記コイルボディとの間に延びているステップであって、前記コイルボディの螺旋軌道に追従しない、ステップと、を有する、
インナースプリング。
【請求項１５】
前記コイルのそれぞれの前記ステップが、前記インナースプリングの基部を形成するコイルの基部コイル端近傍に配置される、請求項１４に記載のインナースプリング。
【請求項１６】
前記コイルのそれぞれの前記ステップが、前記コイルボディの半径方向エッジ近傍に配置される、請求項１４に記載のインナースプリング。
【請求項１７】
前記コイルのそれぞれの前記ステップが、前記コイルボディの縦軸近傍に配置される、請求項１４に記載のインナースプリング。
【請求項１８】
前記コイルのそれぞれの前記ステップが、およそ１０ｍｍから４０ｍｍの範囲の共通の長さを有する、請求項１４に記載のインナースプリング。
【請求項１９】
前記コイル端のそれぞれが少なくとも１つの線形セグメントを有しており、コイルとコイルとの間に延びて前記コイル端の線形セグメントと係合するレーシングワイヤをさらに備えている、請求項１４に記載のインナースプリング。
【請求項２０】
前記コイルが前記コイル端と前記ステップとの間にトランジションセグメントをさらに備えている、請求項１４に記載のインナースプリング。
【請求項２１】
インナースプリングにおいて使用されるワイヤコイルであって、
前記コイルの縦軸を中心とする螺旋コイルボディを形成する複数の螺旋巻きと、
前記螺旋コイルボディの一端部から延びる第１のコイル端であって、前記コイルの縦軸に略垂直な平面に配置される、第１のコイル端と、
前記螺旋コイルボディの反対側の端部近傍に配置される第２のコイル端であって、前記コイルの縦軸とは略垂直な平面に配置される第２のコイル端と、
前記コイルボディの反対側の端部と前記第２のコイル端との間に延びるステップであって、前記第２のコイル端が配置される平面から外れて延び、前記コイルボディの反対側の端部では前記螺旋巻きと位置合わせされていない、ステップと、
を備えたワイヤコイル。
【請求項２２】
前記ステップが前記コイルボディの外径範囲で概ね配置されている、請求項２１に記載のコイル。
【請求項２３】
前記ステップが前記コイルの縦軸近傍に配置されている、請求項２１に記載のコイル。
【請求項２４】
インナースプリングに組み立てられ、前記ステップが前記インナースプリングの支持表面にほぼ垂直である、請求項２１に記載のコイル。
【請求項２５】
前記ステップが前記コイルの縦軸とは同軸である、請求項２１に記載のコイル。
【請求項２６】
前記ステップと前記コイルの第１の端部または第２の端部との間にトランジションセグメントをさらに備えている、請求項２１に記載のコイル。
【請求項２７】
前記コイルボディの第１および第２の端部がそれぞれ少なくとも１つの線形セグメントを有する、請求項２１に記載のコイル。
【請求項２８】
前記ステップがおよそ１０ｍｍから４０ｍｍの範囲の線形長さを有する、請求項２１に記載のコイル。
【請求項２９】
アレイ状に配置され、前記コイルの第１および第２の端部を係合させるレーシングワイヤによって相互に接続されている複数の請求項２１に記載のコイルを備えているインナースプリングと組み合わせるコイルであって、前記コイルそれぞれのステップは前記インナースプリングの底部を形成する前記コイルの第２の端部近傍に配置されている、請求項２１に記載のコイル。
【請求項３０】
前記第１のコイル端から前記第２のコイル端まで測定した全長がおよそ１４０ｍｍから１９０ｍｍの範囲である、請求項２１に記載のコイル。
【請求項３１】
インナースプリングであって、
複数のワイヤコイルであって、各コイルは縦軸を有する略円筒形ボディを形成する複数の螺旋巻きを有する、コイルと、前記円筒形ボディの一端部で前記螺旋巻きの１つに取り付けられた第１のコイル端と、第２のコイル端から前記円筒形ボディの螺旋巻きの１つへ延びているステップと、を備えており、
前記コイルのそれぞれはアレイ状に配置されており、前記第１のコイル端は共通の平面に配置され、前記第２のコイル端は共通の平面に配置されている、
インナースプリング。
【請求項３２】
前記コイルのそれぞれのステップは、前記コイルのそれぞれの縦軸とは略平行である、請求項３１に記載のインナースプリング。
【請求項３３】
前記コイルのそれぞれのステップは、前記コイルのそれぞれの第２のコイル端とは実質的に垂直である、請求項３１に記載のインナースプリング。
【請求項３４】
前記コイルの第２のコイル端は、インナースプリングの基部表面を形成する共通の平面にある、請求項３１に記載のインナースプリング。
【請求項３５】
前記コイルの第１のコイル端は、インナースプリングの支持表面を形成する共通の平面にある、請求項３１に記載のインナースプリング。
【請求項３６】
前記コイルのそれぞれのステップは、前記コイルボディの螺旋巻きの少なくとも１つの半径方向の大きさの近傍に配置される、請求項３１に記載のインナースプリング。
【請求項３７】
前記コイルのそれぞれのステップは、前記コイルボディの縦軸とは実質的に同軸である、請求項３１に記載のインナースプリング。
【請求項３８】
各コイルは、前記第２のコイル端と前記ステップとの間にトランジションセグメントをさらに備えている、請求項３１に記載のインナースプリング。
【請求項３９】
前記コイルのそれぞれのステップは、およそ１０ｍｍから５０ｍｍの範囲の線形の長さを有する、請求項３１に記載のインナースプリング。
【請求項４０】
前記コイルのそれぞれの第１および第２の端部は、少なくとも１つの線形セグメントを備えている、請求項３１に記載のインナースプリング。
【請求項４１】
前記コイルのステップのそれぞれの末端は、丸みのある湾曲を通して前記円筒形ボディの末端に取り付けられる、請求項３１に記載のインナースプリング。
【請求項４２】
片面マットレスに使用される請求項３１に記載のインナースプリング。
【請求項４３】
第１のコイル端と、前記第１のコイル端とは略垂直の縦軸を中心として前記第１のコイル端から延びている略螺旋形のコイルボディと、を有するワイヤコイルであって、
前記コイルボディの端部にあるステップが前記第１のコイル端と対向し、前記ステップは前記略螺旋コイルボディの縦軸に対して角度を持ったセグメントを有し、前記ステップは前記コイルボディの縦軸とは略垂直な平面にある第２のコイル端に接続されており、前記ステップは前記螺旋コイルボディがステップの分だけ前記第２のコイル端から離れるように、前記第２のコイル端が位置する平面とは実質的に垂直である、
ワイヤコイル。
【請求項４４】
前記ステップは線形である、請求項４３に記載のワイヤコイル。
【請求項４５】
前記ステップは曲線である、請求項４３に記載のワイヤコイル。
【請求項４６】
インナースプリングコイルであって、
縦軸を中心とした複数の螺旋巻きを有する略螺旋形のコイルボディであって、対向する軸方向両端部で終わっている、コイルボディと、
前記コイルボディの各軸方向端部近傍のコイル端であって、各コイル端は前記コイルボディの縦軸とは略垂直な平面に概ね位置している、コイル端と、
前記コイル端の一方と前記コイルボディの軸方向端部の一方との間に延びる少なくとも１つのステップであって、前記少なくとも１つのステップは、コイル端の平面から外れて延びており、前記コイルボディの各軸方向端部が各コイル端とは間隔をあけるように延びている、少なくとも１つのステップと、
を備えたインナースプリングコイル。
【請求項４７】
第１のコイル端と前記コイルボディの第１の軸方向端部との間に延びる第１のステップ、および第２のコイル端と前記コイルボディの第２の軸方向端部との間に延びる第２のステップを備えている、請求項４６に記載のインナースプリングコイル。
【請求項４８】
前記第１および第２のステップは実質的に同一の構造を有する、請求項４７に記載のインナースプリングコイル。
【請求項４９】
インナースプリングコイルであって、
縦軸を中心とした螺旋巻きの第１のセットおよび前記縦軸を中心とした螺旋巻きの第２のセット、ならびに前記第１および第２の螺旋巻きのセットを接続する非螺旋ステップによって形成され、対向する軸方向両端部で終わっている、コイルボディと、
前記コイルボディの各軸方向端部にあるコイル端であって、各コイル端は前記コイルボディの縦軸とは略垂直である平面に配置されている、コイル端と、
を備えたインナースプリングコイル。
【請求項５０】
前記ステップは前記コイルボディの縦軸とは略位置合わせされており、前記コイル端とは略垂直である、請求項４９に記載のインナースプリングコイル。